(57)【要約】【課題】  携帯端末から異常発生信号が無線発信された場合に、より適切且つ迅速に対応することができる異常報知端末を提供し、異常報知端末からの異常通報信号を受けて異常事態の発生を適切な相手に通報することができる管理装置を提供する。【解決手段】  携帯端末２から無線発信された携帯端末２に固有に割り当てられた識別情報を含む異常発生信号Ｓ１を受信し、異常発生信号Ｓ１に係る異常発生を報知する異常報知端末１であって、携帯端末２から異常発生信号Ｓ１を受け付ける異常発生信号受信手段１１と、異常発生信号Ｓ１を受信した場合に、複数の異常報知端末１と通信可能に構成された管理装置３に対し、識別情報を含む異常通報信号Ｓ２を発信する異常通報手段１２と、異常発生信号Ｓ１を受信した場合に、異常発生信号Ｓ１に基づいて異常発生を報知する異常報知手段１３とを備える。【選択図】        図１
2007257534.tif 000002
【特許請求の範囲】
【請求項１】
携帯端末から無線発信された前記携帯端末に固有に割り当てられた識別情報を含む異常発生信号を受信し、前記異常発生信号に係る異常発生を報知する異常報知端末であって、
前記携帯端末から前記異常発生信号を受け付ける異常発生信号受信手段と、
前記異常発生信号を受信した場合に、複数の前記異常報知端末と通信可能に構成された管理装置に対し、前記識別情報を含む異常通報信号を発信する異常通報手段と、
前記異常発生信号を受信した場合に、前記異常発生信号に基づいて異常発生を報知する異常報知手段と、を備えることを特徴とする異常報知端末。
【請求項２】
携帯端末から無線発信された前記携帯端末に固有に割り当てられた識別情報を含む異常発生信号を受信し、前記異常発生信号に係る異常発生を報知する異常報知端末であって、
前記携帯端末から前記異常発生信号を受け付ける異常発生信号受信手段と、
前記異常発生信号を受信した場合に、所定の請求項１に記載の異常報知端末に対し、請求項１に記載の異常報知端末の複数と通信可能に構成された管理装置への転送指示と前記識別情報を含む異常通報信号を発信する異常通報手段と、
前記異常発生信号を受信した場合に、前記異常発生信号に基づいて異常発生を報知する異常報知手段と、を備えることを特徴とする異常報知端末。
【請求項３】
請求項２に記載の異常報知端末から前記異常通報信号を受信した場合に、前記転送指示に基づいて前記異常通報信号を前記管理装置に転送する転送手段を備えることを特徴とする請求項１に記載の異常報知端末。
【請求項４】
前記異常通報信号は、前記異常発生信号を受信した前記異常報知端末に固有に割り当てられた第１端末情報を含むことを特徴とする請求項１〜３の何れか１項に記載の異常報知端末。
【請求項５】
前記異常通報信号は、前記管理装置に対し前記異常通報信号を発信した前記異常報知端末に固有に割り当てられた第２端末情報を含むことを特徴とする請求項１または３に記載の異常報知端末。
【請求項６】
請求項１〜５の何れか１項に記載の異常報知端末から発信された前記異常通報信号を受信する異常通報信号受信手段と、
前記異常通報信号に含まれる前記識別情報に基づいて、前記異常発生信号を発信した前記携帯端末の使用者に関係する個人または機関の通信端末の少なくとも何れか１つに対し異常報知信号を送信する異常報知信号送信手段と、を備えることを特徴とする管理装置。
【請求項７】
請求項４に記載の異常報知端末から発信された前記異常通報信号を受信する異常通報信号受信手段と、
前記異常通報信号に含まれる前記識別情報に基づいて、前記異常発生信号を発信した前記携帯端末の使用者に関係する個人または機関の通信端末の少なくとも何れか１つに対し異常報知信号を送信する異常報知信号送信手段と、
前記異常通報信号に含まれる前記第１端末情報に基づいて、前記異常発生信号を発信した前記携帯端末の位置を特定する位置検出手段を備えることを特徴とする管理装置。
【請求項８】
請求項５に記載の異常報知端末から発信された前記異常通報信号を受信する異常通報信号受信手段と、
前記異常通報信号に含まれる前記識別情報に基づいて、前記異常発生信号を発信した前記携帯端末の使用者に関係する個人または機関の通信端末の少なくとも何れか１つに対し異常報知信号を送信する異常報知信号送信手段と、
前記異常通報信号に含まれる前記第２端末情報に基づいて、前記異常報知端末毎に前記異常通報信号の発信履歴を記憶する第１記憶手段を備えることを特徴とする管理装置。
【請求項９】
前記異常通報信号に含まれる前記識別情報に基づいて、前記携帯端末毎に前記異常通報信号の発信履歴を記憶する第２記憶手段を備えることを特徴とする請求項６〜８の何れか１項に記載の管理装置。
【発明の詳細な説明】
【技術分野】
【０００１】
本発明は、携帯端末から前記携帯端末に固有に割り当てられた識別情報を含む異常発生信号を受信し前記異常発生信号に係る異常発生を報知する異常報知端末、及び、複数の異常報知端末を管理する管理装置に関する。
【背景技術】
【０００２】
子供や女性等に対する犯罪の防止や危険回避のための技術として、大音量の警報音で異常発生を周囲に知らせる警報ブザーがある。また、他の犯罪防止技術として、ＧＰＳ（Ｇｌｏｂａｌ  Ｐｏｓｉｔｉｏｎｉｎｇ  Ｓｙｓｔｅｍ）や携帯電話の基地局を利用して、異常発生を通報する異常発生信号が発信された携帯電話の位置情報を検出し、検出した位置情報とともに異常発生が発生したことを、身内や警察、警備会社等に対し、身内や警察、警備会社等が所有する通信端末を介して通報する異常通知システムが提供されている（例えば、特許文献１及び特許文献２参照）。
【０００３】
更に、他の技術として、住宅内に設置された端末が、空き巣や火災、ガス漏れ等の異常事態を検出した場合に、異常事態を検出した住宅の住民が所有する携帯端末に異常事態が発生したことを通知するとともに、予め各住宅を所定領域毎に区分しておき、異常事態を検出した住宅の属する領域内の他の住宅に設置された固定端末に、異常事態が発生した住宅があることを通報するセキュリティシステムがある（例えば、特許文献３参照）。
【０００４】
【特許文献１】特開２００１−７６２８９号公報
【特許文献２】特開２００３−２９８７７４号公報
【特許文献３】特開２００２−２７１５２２号公報
【発明の開示】
【発明が解決しようとする課題】
【０００５】
しかし、警報ブザーの場合、周囲に人がいない場合には、十分な防犯効果を得ることができないという問題があった。また、身内等に対し位置情報とともに異常が発生したことを通知する異常通知システムの場合、身内等が通報者の遠方にいる場合には、迅速に対応することが困難であるという問題があった。更に、身内等に対し位置情報とともに異常が発生したことを通知する異常通知システムの場合、身内等への通知は一般的に電子メールか電話によって行われるため、例えば、身内等が携帯電話を所持していない場合には、身内等に対する通知が困難となり、異常発生の通知が迅速に実施できない場合があった。
【０００６】
上記特許文献３に記載のセキュリティシステムは、住宅に設置され固定された通信端末からの異常発生信号を受けて異常発生の報知を行う構成であり、携帯端末に対応したものではなく、携帯端末からの異常発生信号に応じて適切に異常発生の報知を行うことは困難である。
【０００７】
本発明は上記の問題に鑑みてなされたものであり、その目的は、携帯端末から異常発生信号が無線発信された場合に、より適切且つ迅速に対応することができる異常報知端末を提供する点にある。また、異常報知端末からの異常通報信号を受けて異常事態の発生を適切な相手に通報することができる管理装置を提供する。
【課題を解決するための手段】
【０００８】
上記目的を達成するための本発明に係る異常報知端末は、携帯端末から無線発信された前記携帯端末に固有に割り当てられた識別情報を含む異常発生信号を受信し、前記異常発生信号に係る異常発生を報知する異常報知端末であって、前記携帯端末から前記異常発生信号を受け付ける異常発生信号受信手段と、前記異常発生信号を受信した場合に、複数の前記異常報知端末と通信可能に構成された管理装置に対し、前記識別情報を含む異常通報信号を発信する異常通報手段と、前記異常発生信号を受信した場合に、前記異常発生信号に基づいて異常発生を報知する異常報知手段と、を備えることを第１の特徴とする。
【０００９】
上記特徴の異常報知端末によれば、携帯端末からの異常発生信号に基づいて異常発生を報知するので、異常報知端末の周辺で異常事態が発生した場合に、当該異常報知端末の利用者やその近くにいる人等が異常事態に適切且つ迅速に対応することが可能になる。これによって、身内や警察、警備会社が遠方にいて迅速な対応が困難な場合であっても、異常発生場所の近くにいる複数人が異常事態に対応することが可能になる。更に、本発明によれば、携帯端末に固有に割り当てられた識別情報を含む異常発生信号に基づいて管理装置に対し異常通報信号を発信するので、識別情報により異常発生信号を発信した携帯端末の使用者を確実に特定することができ、予め携帯端末毎に異常事態の発生を通報する相手を設定しておくことで、異常事態の発生を適切な相手に迅速に通報することが可能になる。
【００１０】
上記目的を達成するための本発明に係る異常報知端末は、携帯端末から無線発信された前記携帯端末に固有に割り当てられた識別情報を含む異常発生信号を受信し、前記異常発生信号に係る異常発生を報知する異常報知端末であって、前記携帯端末から前記異常発生信号を受け付ける異常発生信号受信手段と、前記異常発生信号を受信した場合に、所定の上記第１の特徴の異常報知端末に対し、上記第１の特徴の異常報知端末の複数と通信可能に構成された管理装置への転送指示と前記識別情報を含む異常通報信号を発信する異常通報手段と、前記異常発生信号を受信した場合に、前記異常発生信号に基づいて異常発生を報知する異常報知手段と、を備えることを第２の特徴とする。
【００１１】
上記特徴の異常報知端末によれば、第１の特徴の異常報知端末に対し管理装置への転送指示を含む異常通報信号を発信するように構成したので、異常報知端末が直接管理装置と通信可能ではない場合であっても、管理装置に対し異常通報信号を発信することが可能になる。また、管理装置と直接通信可能に構成された異常報知端末を中継装置として管理装置に異常通報信号を発信するので、第２の特徴の異常報知端末を設置することで携帯端末からの異常発生信号を受信可能な領域を実質的に拡大することができ、第１の特徴の異常報知端末が携帯端末の近隣に設置されていない場合であっても、管理装置に対し異常発生信号を発信することが可能になる。
【００１２】
更に、本発明によれば、携帯端末からの異常発生信号に基づいて異常発生を報知するので、異常報知端末の周辺で異常事態が発生した場合に、当該異常報知端末の利用者やその近くにいる人等が異常事態に適切且つ迅速に対応することが可能になる。これによって、身内や警察、警備会社が遠方にいて迅速な対応が困難な場合であっても、異常発生場所の近くにいる複数人が異常事態に対応することが可能になる。
【００１３】
上記第１特徴の本発明に係る異常報知端末は、第２の特徴の異常報知端末から前記異常通報信号を受信した場合に、前記転送指示に基づいて前記異常通報信号を前記管理装置に転送する転送手段を備えることを第３の特徴とする。
【００１４】
上記特徴の異常報知端末によれば、第２の特徴の異常報知端末からの異常通報信号を管理装置に転送するように構成したので、携帯端末からの異常発生信号を受信可能な領域を実質的に拡大することができ、管理装置が異常発生をより確実に把握することを可能にすることができる。
【００１５】
上記何れかの特徴の本発明に係る異常報知端末は、前記異常通報信号が、前記異常発生信号を受信した前記異常報知端末に固有に割り当てられた第１端末情報を含むことを第４の特徴とする。
【００１６】
上記特徴の異常報知端末によれば、異常発生信号を受信した異常報知端末の端末情報を異常通報信号に含ませる構成にしたので、端末情報によって特定される異常報知端末の設置場所から異常発生場所をある程度の精度で検出することが可能になる。本発明によれば、異常発生場所をある程度の精度で検出可能になることから、異常事態により適切に対応することが可能になる。
【００１７】
上記第１または第３の特徴の異常報知端末は、前記異常通報信号が、前記管理装置に対し前記異常通報信号を発信した前記異常報知端末に固有に割り当てられた第２端末情報を含むことを第５の特徴とする。
【００１８】
上記特徴の異常報知端末によれば、管理手段に対し異常通報信号を発信した異常報知端末の端末情報を異常通報信号に含ませる構成にしたので、管理装置において異常通報信号を転送した異常報知端末を特定することが可能になる。
【００１９】
上記目的を達成するための本発明に係る管理装置は、第１〜第５の何れかの特徴の異常報知端末から発信された前記異常通報信号を受信する異常通報信号受信手段と、前記異常通報信号に含まれる前記識別情報に基づいて、前記異常発生信号を発信した前記携帯端末の使用者に関係する個人または機関の通信端末の少なくとも何れか１つに対し異常報知信号を送信する異常報知信号送信手段と、を備えることを特徴とする。
【００２０】
上記特徴の管理装置によれば、異常通報信号の識別情報に基づいて携帯端末の使用者に関係する個人または機関の通信端末に異常発生を報知するように構成したので、異常通報信号を受信した異常報知端末の利用者だけでなく、使用者に関係する個人または機関、例えば、身内、学校、警察、学校、及び、警備会社等、異常発生場所に依存しない通信端末の利用者に対しても異常発生を通知することができ、異常事態により適切に対応することが可能になる。
【００２１】
上記目的を達成するための本発明に係る管理装置は、第４の特徴の異常報知端末から発信された前記異常通報信号を受信する異常通報信号受信手段と、前記異常通報信号に含まれる前記識別情報に基づいて、前記異常発生信号を発信した前記携帯端末の使用者に関係する個人または機関の通信端末の少なくとも何れか１つに対し異常報知信号を送信する異常報知信号送信手段と、前記異常通報信号に含まれる前記第１端末情報に基づいて、前記異常発生信号を発信した前記携帯端末の位置を特定する位置検出手段を備えることを特徴とする。
【００２２】
上記特徴の管理装置によれば、端末情報によって特定される異常報知端末の設置場所から異常発生場所をある程度の精度で検出するように構成したので、管理装置が異常発生場所を適切に且つより簡易に認識することが可能になる。
【００２３】
上記目的を達成するための本発明に係る管理装置は、第５の特徴の異常報知端末から発信された前記異常通報信号を受信する異常通報信号受信手段と、前記異常通報信号に含まれる前記識別情報に基づいて、前記異常発生信号を発信した前記携帯端末の使用者に関係する個人または機関の通信端末の少なくとも何れか１つに対し異常報知信号を送信する異常報知信号送信手段と、前記異常通報信号に含まれる前記第２端末情報に基づいて、前記異常報知端末毎に前記異常通報信号の発信履歴を記憶する第１記憶手段を備えることを特徴とする。
【００２４】
上記特徴の管理装置によれば、異常報知端末毎に異常通報信号の発信履歴を記憶するように構成したので、例えば、異常報知端末が所定の警備会社の管理するホームセキュリティ端末である場合に、異常報知端末の所有者に対し異常通報信号の発信数に応じて警備会社の利用料金を減額する等することにより、携帯端末からの異常発生信号に対応することが可能な異常報知端末の普及を促進させることができる。
【００２５】
上記何れかの特徴の本発明に係る管理装置は、前記異常通報信号に含まれる前記識別情報に基づいて、前記携帯端末毎に前記異常通報信号の発信履歴を記憶する第２記憶手段を備えることを特徴とする。
【００２６】
上記特徴の管理装置によれば、携帯端末毎に異常通報信号の発信履歴を記憶するように構成したので、例えば、本発明による防犯サービスを提供する警備会社等は、異常通報信号の発信回数に応じて課金することが可能になる。この場合には、異常通報信号の発信回数に応じて課金し基本料金を課さないようにすることで、携帯端末の使用者に異常が発生する確率はそれ程高くないと予想されることから、携帯端末の所有者の経済的負担を軽減できる。更に、異常通報信号の発信回数に応じて課金する構成にすれば、いたずら等の不必要な異常発生信号の発信を抑制することが可能になる。
【発明を実施するための最良の形態】
【００２７】
以下、本発明に係る異常報知端末及び管理装置の実施形態を図面に基づいて説明する。
【００２８】
〈第１実施形態〉
本発明に係る異常報知端末及び管理装置の第１実施形態について図１を基に説明する。本実施形態では、図１に示すように、携帯端末２から無線発信された携帯端末２に固有に割り当てられた識別情報を含む異常発生信号Ｓ１を受信し、異常発生信号Ｓ１に係る異常発生を報知する異常報知端末１の複数が、所定の警備会社に設置され複数の異常報知端末１を管理する管理装置３と通信可能に構成されている。
【００２９】
携帯端末２は、本実施形態では、防犯ブザー機能を備えており、使用者により防犯ブザーが操作されると、無線で異常発生信号Ｓ１を発信するように構成されている。携帯端末２は、微弱電波或いは特定小電力無線を利用して、送信先を特定せずに異常発生信号Ｓ１を発信可能に構成されている。これによって、携帯端末２から発信される異常発生信号Ｓ１の到達範囲内にある異常報知端末１が異常発生信号Ｓ１を受信可能になる。携帯端末２はまた、防犯ブザーの操作により、ブザーを鳴らしたりフラッシュを発光させたりする等の防犯機能を備えている。
【００３０】
異常報知端末１は、図１に示すように、携帯端末２から異常発生信号Ｓ１を受け付ける異常発生信号受信手段１１、異常発生信号Ｓ１を受信した場合に、管理装置３に対し異常通報信号Ｓ２を発信する異常通報手段１２、及び、異常発生信号Ｓ１を受信した場合に、異常発生信号Ｓ１に基づいて異常発生を報知する異常報知手段１３を備えて構成されている。本実施形態では、異常報知端末１として、ホームセキュリティシステムにおいて、各住宅に設置される固定端末を想定して説明する。異常報知端末１の各手段は、コンピュータのハードウェアとそのハードウェア上で実行されるアプリケーションソフトウェアで構成されている。
【００３１】
異常発生信号受信手段１１は、携帯端末２から無線により発信された異常発生信号Ｓ１を受け付ける。本実施形態の異常発生信号Ｓ１は、携帯端末２に固有に割り当てられた識別情報を含むパケットデータで構成されている。ここでは、識別情報として携帯端末２に固有に割り当てられた携帯端末ＩＤを想定して説明する。
【００３２】
異常通報手段１２は、異常発生信号Ｓ１を受信した場合に、異常発生信号Ｓ１から異常発生信号Ｓ１を発信した携帯端末２の識別情報を抽出し、抽出した識別情報（携帯端末ＩＤ）と異常報知端末１に固有に割り当てられた端末情報を含む異常通報信号Ｓ２を生成し、管理装置３に対して異常通報信号Ｓ２を発信する。
【００３３】
ここで、端末情報としては、異常報知端末１に固有に割り当てられた異常報知端末ＩＤを想定しており、特に、異常発生信号Ｓ１を受信した異常報知端末１に固有に割り当てられた異常報知端末ＩＤを第１端末情報、管理装置３に対し異常通報信号Ｓ２を発信した異常報知端末１に固有に割り当てられた異常報知端末ＩＤを第２端末情報とする。本実施形態の異常通報信号Ｓ２は、携帯端末ＩＤと異常報知端末ＩＤを含むパケットデータで構成されている。
【００３４】
更に、本実施形態の異常報知端末１は、管理装置３と公衆電話回線を介してデータ通信可能に接続されており、異常通報手段１２は、公衆電話回線を介して異常通報信号Ｓ２を管理装置３に送信する。尚、本実施形態では管理装置３との通信手段として公衆電話回線を用いたが、これに限るものではなく、光通信回線やインターネット回線等のデータ通信回線を用いても良い。
【００３５】
異常報知手段１３は、異常発生信号Ｓ１を受信した場合に、異常発生信号Ｓ１に基づいて異常発生を報知する。より具体的には、異常報知手段１３は、ブザーやアナウンス、表示画面上での情報の表示、及び、フラッシュの発光等の警報Ｓ４により、異常発生を報知する。
【００３６】
管理装置３は、図１に示すように、異常報知端末１から発信された異常通報信号Ｓ２を受信する異常通報信号受信手段３１、異常通報信号Ｓ２に含まれる携帯端末ＩＤに基づいて、異常発生信号Ｓ１を発信した携帯端末２の使用者に関係する個人または機関の通信端末４の少なくとも何れか１つに対し異常報知信号Ｓ３を送信する異常報知信号送信手段３３、受信した異常通報信号Ｓ２に含まれる異常報知端末ＩＤ（第１端末情報）に基づいて、異常発生信号Ｓ１を発信した携帯端末２の位置を特定する位置検出手段３２、異常報知端末ＩＤ（第２端末情報）に基づいて異常報知端末１毎に異常通報信号Ｓ２の発信履歴を記憶する第１記憶手段３４、携帯端末ＩＤに基づいて携帯端末２毎に異常通報信号Ｓ２の発信履歴を記憶する第２記憶手段３５、及び、管理装置３に予め搭載されている不揮発性半導体メモリ等のメモリの記憶領域３６を備えて構成される。本実施形態の管理装置３は、コンピュータのハードウェアとそのハードウェア上で実行されるアプリケーションソフトウェアで構成されている。
【００３７】
異常通報信号受信手段３１は、異常報知端末１から発信された異常通報信号Ｓ２を公衆電話回線を介して受信する。本実施形態の異常通報信号受信手段３１は、記憶領域３６内の所定の領域に異常通報信号Ｓ２を記憶し、異常通報信号Ｓ２を位置検出手段３２及び異常報知信号送信手段３３に出力する。
【００３８】
位置検出手段３２は、異常通報信号Ｓ２に含まれる異常発生信号Ｓ１を受信した異常報知端末１の異常報知端末ＩＤ（第１端末情報）に基づいて記憶領域３６を検索して、異常発生信号Ｓ１を発信した携帯端末２の位置を特定する。ここで、記憶領域３６には、異常報知端末１毎に異常報知端末ＩＤと異常報知端末１の位置情報が記憶されている。より具体的には、異常発生信号Ｓ１を送信した携帯端末２は異常発生信号Ｓ１を受信した異常報知端末１から所定範囲内に在るため、位置検出手段３２は、異常通報信号Ｓ２に含まれる異常報知端末ＩＤ（第１端末情報）から異常発生信号Ｓ１を受信した異常報知端末１の位置を特定することで、異常発生信号Ｓ１を送信した携帯端末２の位置を特定する。
【００３９】
尚、携帯端末２の異常発生信号Ｓ１の到達範囲（例えば１００ｍ）に複数の異常報知端末１がある場合には、異常通報信号受信手段３１は、ほぼ同時に複数の異常報知端末１から夫々異常通報信号Ｓ２を受信することとなる。この場合には、異常通報信号Ｓ２を送信した異常報知端末１夫々の位置を異常報知端末ＩＤ（第１端末情報）によって特定し、複数の異常報知端末１の位置情報を組み合わせることで、より精度良く携帯端末２の位置を特定することができる。
【００４０】
異常報知信号送信手段３３は、異常通報信号Ｓ２に含まれる携帯端末ＩＤに基づいて記憶領域３６を検索し、異常発生信号Ｓ１を発信した携帯端末２の使用者の属性情報と当該使用者に関係する個人または機関の通信端末４に関する情報（通信手段、電話番号、電子メールアドレス等）を取得する。そして、検索された通信端末４の少なくとも何れか１つを送信先として選択し、選択した通信端末４に対し異常報知信号Ｓ３を発信先に応じた通信手段で送信する。本実施形態では、通信端末４として、例えば、電子メールを受信可能な身内が所有する携帯電話等の通信端末４、学校、警察署、及び、所定の警備会社等に設置されたコンピュータ等の通信端末４を想定している。
【００４１】
記憶領域３６には、携帯端末ＩＤ、携帯端末２の使用者の氏名、性別、年齢、住所、電話番号、学校名、学年、保護者名、異常通報信号Ｓ２の送信先等が記憶されており、異常報知信号送信手段３３は、記憶領域３６を検索して取得した情報及び位置検出手段３２によって検出された携帯端末２の位置情報を基に、送信先に応じた異常報知信号Ｓ３を生成する。本実施形態の異常報知信号Ｓ３は、異常発生信号Ｓ１を送信した携帯端末２の使用者を特定するためのデータ、及び、異常発生場所を特定するためのデータ等を含むパケットデータで構成されている。例えば、携帯端末２の使用者が子供であり、送信先がその保護者である場合には、携帯端末２の使用者の氏名及び携帯端末２の位置情報を含む異常報知信号Ｓ３を生成し、送信先が警備会社である場合には、携帯端末２の使用者の氏名、性別、年齢、住所、電話番号、学校名、学年、保護者名、及び、携帯端末２の位置情報等を含む異常報知信号Ｓ３を生成する。
【００４２】
第１記憶手段３４は、定期的に記憶領域３６にアクセスして新規に記憶された異常通報信号Ｓ２を読み出し、異常通報信号Ｓ２に含まれる異常通報信号Ｓ２を発信した異常報知端末１の異常報知端末ＩＤ（第２端末情報）に基づいて、異常報知端末１毎に異常通報信号Ｓ２の発信履歴を記憶する。本実施形態では、第１記憶手段３４は、異常通報信号Ｓ２を受信した異常報知端末１の異常報知端末ＩＤ（第２端末情報）、異常通報信号Ｓ２の発信時刻（年月日分秒）、及び、異常報知端末１の使用者名等を記憶する。
【００４３】
本実施形態では、管理装置３を備える警備会社は、第１記憶手段３４によって記憶された発信履歴に基づいて異常報知端末１毎に異常通報信号Ｓ２の発信回数を集計し、異常報知端末１の所有者に対し異常通報信号Ｓ２の発信数に応じて当該警備会社の利用料金を減額する。このような構成にすることにより、本実施形態の異常報知端末１の普及を促進させることができる。
【００４４】
第２記憶手段３５は、定期的に記憶領域３６にアクセスして新規に記憶された異常通報信号Ｓ２を読み出し、異常通報信号Ｓ２に含まれる携帯端末ＩＤに基づいて、携帯端末２の所有者毎に異常通報信号Ｓ２の発信履歴を記憶する。本実施形態では、第２記憶手段３５は、異常通報信号Ｓ２を受信する毎に、携帯端末２の所有者名、携帯端末ＩＤ、異常通報信号Ｓ２の発信時刻（年月日分秒）、及び、異常報知端末１の異常報知端末ＩＤ（第２端末情報）等を記憶する。
【００４５】
ここで、本実施形態では、管理装置３を備える警備会社は、第２記憶手段３５によって記憶された発信履歴に基づいて携帯端末２の所有者毎に異常発生信号Ｓ１の送信回数（異常通報信号Ｓ２の発信回数）を集計し、携帯端末２の所有者に対して、異常発生信号Ｓ１の送信回数に応じて課金する。異常発生信号Ｓ１の送信回数による従量課金料金のみとし月額基本料等を課さない構成にすることで、携帯端末２の所有者の経済的負担を軽減できる。また、異常発生信号Ｓ１の送信回数に応じて課金することで、不必要な場合に異常発生信号Ｓ１が送信されるのを抑制することができる。
【００４６】
〈第２実施形態〉
本発明に係る異常報知端末１及び管理装置３の第２実施形態について図２を基に説明する。上記第１実施形態では、携帯端末２からの異常発生信号Ｓ１を受信した異常報知端末１が直接管理装置３に異常通報信号Ｓ２を発信する場合について説明したが、本実施形態では、図２に示すように、携帯端末２からの異常発生信号Ｓ１を受信した異常報知端末１Ａからの異常通報信号Ｓ２が、中継用の異常報知端末１Ｂを介して管理装置３に発信される場合について説明する。
【００４７】
異常報知端末１Ａは、図２に示すように、携帯端末２から異常発生信号Ｓ１を受け付ける異常発生信号受信手段１１、異常発生信号Ｓ１を受信した場合に、異常報知端末１Ｂに対し、異常報知端末１Ｂの複数と通信可能に構成された管理装置３への転送指示と識別情報（携帯端末ＩＤ）を含む異常通報信号Ｓ２ａを発信する異常通報手段１２、及び、異常発生信号Ｓ１を受信した場合に、異常発生信号Ｓ１に基づいて異常発生を報知する異常報知手段１３を備えて構成されている。異常報知端末１Ａとしては、管理装置３と直接通信する機能を有しない街角等に設置される固定端末を想定して説明する。尚、本実施形態の異常発生信号受信手段１１及び異常報知手段１３の構成は、上記第１実施形態の異常報知端末１の異常発生信号受信手段１１及び異常報知手段１３の構成と同じであるので、ここではその説明を割愛する。
【００４８】
異常報知端末１Ａの異常通報手段１２は、携帯端末２から異常発生信号Ｓ１を受信した場合に、異常報知端末１Ｂに対し、管理装置３への転送指示と携帯端末ＩＤと異常報知端末１Ａに固有に割り当てられた異常報知端末ＩＤ（第１端末情報）を含む異常通報信号Ｓ２ａを発信する。本実施形態の異常通報信号Ｓ２ａは、転送指示と携帯端末ＩＤと異常報知端末ＩＤ（第１端末情報）を含むパケットデータで構成される。異常通報信号Ｓ２ａが異常報知端末１Ａの異常報知端末ＩＤ（第１端末情報）を含むことで、管理装置３において携帯端末２の位置特定が可能になる。
【００４９】
異常報知端末１Ｂは、図２に示すように、第１実施形態の異常報知端末１の各構成に加え、異常報知端末１Ａから異常通報信号Ｓ２ａを受信した場合に、転送指示に基づいて異常通報信号Ｓ２ｂを管理装置３に転送する転送手段１４を備えて構成されており、本実施形態では、ホームセキュリティシステムにおいて、各住宅に設置される固定端末を想定して説明する。尚、異常報知端末１Ｂは、第１実施形態の異常報知端末１の各構成を全て備えていることから、単独で異常発生信号Ｓ１を受信して異常通報信号Ｓ２ｂを管理装置３に対して発信できる。
【００５０】
転送手段１４は、異常報知端末１Ａから異常通報信号Ｓ２ａを受信した場合に、転送指示に基づいて異常通報信号Ｓ２ｂを管理装置３に転送する。本実施形態の転送手段１４は、異常通報信号Ｓ２ｂを異常通報手段１２を介して管理装置３に転送する。尚、管理装置３に転送する異常通報信号Ｓ２ｂは、異常報知端末１Ａから受信した異常通報信号Ｓ２ａに他の情報、例えば、異常報知端末１Ｂの異常報知端末ＩＤ（第２端末情報）を付加したものであっても良い。この場合には、管理装置３の第１記憶手段３４において、異常報知端末１の所有者毎に異常通報信号Ｓ２ａ、２ｂの発信回数を集計することが可能になる。
【００５１】
尚、本実施形態では異常報知端末１Ｂが単独で異常発生信号Ｓ１を受信して異常通報信号Ｓ２ｂを管理装置３に対して発信できることから、本実施形態の異常報知端末１Ｂは、異常発生信号受信手段１１が転送手段１４の受信した異常通報信号Ｓ２ａの元となる同じ携帯端末２からの異常発生信号Ｓ１を受信する場合がある（図２中破線で表示）。この場合には、異常報知端末１Ｂの異常通報手段１２は、転送手段１４が生成した異常通報信号Ｓ２ｂに異常報知端末１Ｂの異常報知端末ＩＤを第１端末情報として付加した異常通報信号Ｓ２ｂを生成して発信する。
【００５２】
この場合、管理手段３は、異常報知端末１Ｂの異常報知端末ＩＤと異常報知端末１Ａの異常報知端末ＩＤの２つの第１端末情報を有する異常通報信号Ｓ２ｂを受信することとなり、より精度良く携帯端末２の位置を特定することが可能になる。
【００５３】
〈別実施形態〉
〈１〉上記各実施形態では、携帯端末２に固有に割り当てられた識別情報として、携帯端末２の携帯端末ＩＤを想定したが、これに限られるものではない。また、上記実施形態において、携帯端末２は、例えば、本来の通話機能に追加して異常発生信号Ｓ１を微弱電波或いは特定小電力無線等により無線発信する機能を備えた携帯電話等であっても良い。
【００５４】
〈２〉上記各実施形態において、携帯端末２がＧＰＳ等による位置情報の検出機能を備え、位置情報を含む異常発生信号Ｓ１を発信するように構成しても良い。この場合には、異常報知端末１、１Ａ、１Ｂが位置情報を含む異常通報信号Ｓ２（Ｓ２ａ、Ｓ２ｂ）を発信し、管理装置３の位置検出手段３２が異常通報信号Ｓ２（Ｓ２ａ、Ｓ２ｂ）に含まれる位置情報から携帯端末２の位置を特定する。この場合、異常通報信号Ｓ２（Ｓ２ａ、Ｓ２ｂ）は、携帯端末２の位置特定用の異常報知端末ＩＤ（第１端末情報）を含まなくても良い。
【図面の簡単な説明】
【００５５】
【図１】本発明に係る異常報知端末、管理装置及びその周辺装置の第１実施形態における構成を示す概略ブロック図
【図２】本発明に係る異常報知端末、管理装置及びその周辺装置の第２実施形態における構成を示す概略ブロック図
【符号の説明】
【００５６】
１      本発明に係る異常報知端末
１Ａ    本発明に係る異常報知端末
１Ｂ    本発明に係る異常報知端末
２      携帯端末
３      管理装置
４      通信端末
１１    異常発生信号受信手段
１２    異常通報手段
１３    異常報知手段
１４    転送手段
３１    異常通報信号受信手段
３２    位置検出手段
３３    異常報知信号送信手段
３４    第１記憶手段
３５    第２記憶手段
３６    記憶領域
Ｓ１    異常発生信号
Ｓ２    異常通報信号
Ｓ２ａ  異常通報信号
Ｓ２ｂ  異常通報信号
Ｓ３    異常報知信号
Ｓ４    警報
【図１】
2007257534.tif 000003
【図２】
2007257534.tif 000004